(57)【特許請求の範囲】
【請求項１】
主面と、前記主面に垂直に接する第一の側面と、前記主面に垂直に接し前記第一の側面に対面する第二の側面と、を備えるコの字型の筐体と、
前記コの字型の筐体の前記主面上に積み重ねられ、前記主面と、前記第一の側面および前記第二の側面とを基準にねじ止めされる一つ又は複数の内部部材と、を備え、
前記主面には、前記内部部材の少なくとも一つを吊り下げるための爪部を備え、
前記内部部材の少なくとも一つは、前記主面の爪部に引っ掛けられて取り付け位置を特定される切り欠きを備え、
前記切り欠きには、突起が設けられ、該突起により前記爪部と接触し、
前記内部部材の少なくとも一つは、前記主面の爪部に引掛けられて取り付け位置を特定される切り欠きを備えるとともに、前記第一の側面および第二の側面に設けられた丸孔にはまり込んで取り付け位置を特定する突起を備える、
ことを特徴とするナビゲーション装置。
【請求項２】
請求項１に記載のナビゲーション装置であって、
前記主面の爪部は、前記主面のうち、前記第一の側面および第二の側面に沿う位置に設けられている、
ことを特徴とするナビゲーション装置。
【請求項３】
請求項１または２に記載のナビゲーション装置であって、
前記主面の爪部は、前記主面のうち、前記第一の側面に沿う位置に少なくとも二箇所設けられており、さらに、前記第二の側面に沿う位置に少なくとも二箇所設けられている、
ことを特徴とするナビゲーション装置。
【請求項４】
請求項１〜３のいずれか一項に記載のナビゲーション装置であって、
前記コの字型の筐体と、前記切り欠きを備える前記内部部材の少なくとも一つとは、前記コの字型の筐体の外側からねじ止めされて固定される、
ことを特徴とするナビゲーション装置。
【請求項５】
ナビゲーション装置の組立構造であって、
前記ナビゲーション装置は、
主面と、前記主面に垂直に接する第一の側面と、前記主面に垂直に接し前記第一の側面に対面する第二の側面と、を備えるコの字型の筐体と、
一つ又は複数の内部部材と、を備え、
前記主面には、爪部が備えられ、
前記内部部材の少なくとも一つには、切り欠きが備えられ、
前記内部部材は、前記コの字型の筐体の前記主面上に積み重ねられ、前記主面に備えられた前記爪部に、前記切り欠きが引っ掛けられて取り付け位置を特定され、前記主面と、前記第一の側面および前記第二の側面とを基準にねじ止めされ、
前記内部部材の少なくとも一つは、前記主面の爪部に引掛けられて取り付け位置を特定される切り欠きを備えるとともに、突起を備え、
前記突起は、前記第一の側面および第二の側面に設けられた丸孔にはまり込んで取り付け位置を特定され、
前記切り欠きには、突起が設けられ、該突起により前記爪部と接触する、
ことを特徴とするナビゲーション装置の組立構造。
【請求項６】
請求項５に記載のナビゲーション装置の組立構造であって、
前記主面の爪部は、前記主面のうち、前記第一の側面および第二の側面に沿う位置に設けられている、
ことを特徴とするナビゲーション装置の組立構造。
【請求項７】
請求項５または６に記載のナビゲーション装置の組立構造であって、
前記主面の爪部は、前記主面のうち、前記第一の側面に沿う位置に少なくとも二箇所設けられており、さらに、前記第二の側面に沿う位置に少なくとも二箇所設けられている、
ことを特徴とするナビゲーション装置の組立構造。
【請求項８】
請求項５〜７のいずれか一項に記載のナビゲーション装置の組立構造であって、
前記コの字型の筐体と、前記切り欠きを備える前記内部部材の少なくとも一つとは、前記コの字型の筐体の外側からねじ止めされて固定される、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多かった。すなわち、各部品を組み付ける際に、部品ごとにねじ止めを行うために、ねじ止め作業のために部品を仮保持する特殊な治具が必要になることが多く、作業工程が複雑であった。
【０００５】
本発明の目的は、特殊な治具を用いずに、部品を仮保持することができるナビゲーション装置の技術を提供することにある。
【課題を解決するための手段】
【０００６】
上記課題を解決すべく、本発明に係るナビゲーション装置は、主面と、前記主面に垂直に接する第一の側面と、前記主面に垂直に接し前記第一の側面に対面する第二の側面と、を備えるコの字型の筐体と、前記コの字型の筐体の前記主面上に積み重ねられ、前記主面と、前記第一の側面および前記第二の側面とを基準にねじ止めされる一つ又は複数の内部部材と、を備え、前記主面には、前記内部部材の少なくとも一つを吊り下げるための爪部を備え、前記内部部材の少なくとも一つは、前記主面の爪部に引っ掛けられて取り付け位置を特定される切り欠きを備え、前記切り欠きには、突起が設けられ、該突起により前記爪部と接触し、前記内部部材の少なくとも一つは、前記主面の爪部に引掛けられて取り付け位置を特定される切り欠きを備えるとともに、前記第一の側面および第二の側面に設けられた丸孔にはまり込んで取り付け位置を特定する突起を備える、ことを特徴とする。
【０００７】
また、本発明に係るナビゲーション装置の組立構造では、前記ナビゲーション装置は、主面と、前記主面に垂直に接する第一の側面と、前記主面に垂直に接し前記第一の側面に対面する第二の側面と、を備えるコの字型の筐体と、一つ又は複数の内部部材と、を備え、前記主面には、爪部が備えられ、前記内部部材の少なくとも一つには、切り欠きが備えられ、前記内部部材は、前記コの字型の筐体の前記主面上に積み重ねられ、前記主面に備えられた前記爪部に、前記切り欠きが引っ掛けられて取り付け位置を特定され、前記主面と、前記第一の側面および前記第二の側面とを基準にねじ止めされ、前記内部部材の少なくとも一つは、前記主面の爪部に引掛けられて取り付け位置を特定される切り欠きを備えるとともに、突起を備え、前記突起は、前記第一の側面および第二の側面に設けられた丸孔にはまり込んで取り付け位置を特定され、前記切り欠きには、突起が設けられ、該突起により前記爪部と接触する、ことを特徴とする。
【発明の効果】
【０００８】
本願発明によれば、特殊な治具を用いずに、部品を仮保持することができるナビゲーション装置の技術を提供することが可能となる。
【図面の簡単な説明】
【０００９】
【図１】図１は、ナビゲーション装置の組立工程を示す図である。
【図２】図２は、ナビゲーション装置の組立工程を示す図である。
【図３】図３は、ナビゲーション装置の天面に部品を組み付ける状態を示す図である。
【図４】図４は、筐体の断面図である。
【図５】図５は、筐体の天面に部品を組み付けた状態の断面図である。
【図６】図６は、筐体の天面に部品を組み付ける組立工程を示す図である。
【図７】図７は、筐体の天面に部品を組み付ける組立工程を示す図である。
【図８】図８は、筐体の天面に部品を組み付ける組立工程を示す図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面、両側面の外側から、上記第一の内部ユニット２００、第二の内部ユニット３００、底面ユニット４００がねじ止めされる。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、図１（ａ）に示す天面に部品を組み付ける工程における、金属筐体１００と、第一の内部ユニット２００と、の詳細な斜視図である。金属筐体１００の天面の左側端の拡大図１２０に示すように、天面には、筐体内部に取り付けられる第一の内部ユニット２００を取り付けるための天面左表側ねじ孔１２１および天面左裏側ねじ孔１２２が設けられている。また、それぞれのねじ孔の付近には、第一の内部ユニット２００の位置を決め、仮保持するための表側引掛爪１２３および裏側引掛爪１２４が設けられている。
【００１８】
表側引掛爪１２３、裏側引掛爪１２４は、筐体内部方向へ突出する爪であり、それぞれの先端は、ほぼ直角に折り曲げられている。当該先端部に、後述する第一の内部ユニット２００の左側フランジ部１３１に設けられた左側フランジ表面側切り欠き部１３２または左側フランジ裏面側切り欠き部１３３が引掛けられることにより、第一の内部ユニット２００は天面に対して位置決めされて、仮保持される。
【００１９】
また、金属筐体１００の天面の右側端の拡大図１４０に示すように、天面には、筐体内部に取り付けられる第一の内部ユニット２００を取り付けるための天面右表側ねじ孔１４１および天面右裏側ねじ孔１４２が設けられている。また、それぞれのねじ孔の付近には、第一の内部ユニット２００の位置を決め、仮保持するための表側引掛爪１４３および裏側引掛爪１４４が設けられている。
【００２０】
表側引掛爪１４３、裏側引掛爪１４４は、筐体内部方向へ突出する爪であり、それぞれの先端は、ほぼ直角に折り曲げられている。当該先端部に、後述する第一の内部ユニット２００の右側フランジ部１５１に設けられた右側フランジ表面側切り欠き部１５２または右側フランジ裏面側切り欠き部１５３が引掛けられることにより、第一の内部ユニット２００は天面に対して位置決めされて、仮保持される。
【００２１】
第一の内部ユニット２００の左側端の拡大図１３０に示すように、第一の内部ユニット２００の左端には、第一の内部ユニット２００の左側面から略垂直に突出する板状の左側フランジ部１３１が設けられている。左側フランジ部１３１には、金属筐体１００に第一の内部ユニット２００を取り付けるための左側フランジ表面側ねじ孔１３８および左側フランジ裏面側ねじ孔１３９が設けられている。また、それぞれのねじ孔の付近には、左側フランジ表面側切り欠き部１３２および左側フランジ裏面側切り欠き部１３３が設けられている。
【００２２】
左側フランジ表面側切り欠き部１３２および左側フランジ裏面側切り欠き部１３３は、第一の内部ユニット２００の取り付け位置を決め、仮保持するために金属筐体１００の天面の左端に設けられた表側引掛爪１２３および裏側引掛爪１２４に引っ掛かる切り欠きである。なお、左側フランジ表面側ねじ孔１３８と左側フランジ表面側切り欠き部１３２との間の距離、および左側フランジ裏面側ねじ孔１３９と左側フランジ裏面側切り欠き部１３３との間の距離は、短いほどよりよい。仮保持の基準となる位置と、固定の基準となる位置との間が短い方が、組みつけの精度が高くなるためである。
【００２３】
第一の内部ユニット２００の右側端の拡大図１５０に示すように、第一の内部ユニット２００の右端には、第一の内部ユニット２００の右側面から略垂直に突出する板状の右側フランジ部１５１が設けられている。右側フランジ部１５１には、金属筐体１００に第一の内部ユニット２００を取り付けるための右側フランジ表面側ねじ孔１５８および右側フランジ裏面側ねじ孔１５９が設けられている。また、それぞれのねじ孔の付近には、右側フランジ表面側切り欠き部１５２および右側フランジ裏面側切り欠き部１５３が設けられている。
【００２４】
右側フランジ表面側切り欠き部１５２および右側フランジ裏面側切り欠き部１５３は、第一の内部ユニット２００の取り付け位置を決め、仮保持するために金属筐体１００の天面の右端に設けられた表側引掛爪１４３および裏側引掛爪１４４に引っ掛かる切り欠きである。なお、右側フランジ表面側切り欠き部１５２には、金属筐体１００へのＹ軸方向の取り付け位置の精度を高めるための突起部材１５２Ｓが設けられており、当該突起が表側引掛爪１４３へ接触するように仮保持することで、位置の精度を高いものとしている。また、右側フランジ表面側ねじ孔１５８と右側フランジ表面側切り欠き部１５２との間の距離、および右側フランジ裏面側ねじ孔１５９と右側フランジ裏面側切り欠き部１５３との間の距離は、短いほどよりよい。仮保持の基準となる位置と、固定の基準となる位置との間が短い方が、組みつけの精度が高くなるためである。
【００２５】
図４は、金属筐体１００の天面の上面（図４（ａ））およびそのＡ−Ａ断面（図４（ｂ））を示す図である。すなわち、図４（ｂ）に示す断面図Ａ−Ａには、金属筐体１００の天面に設けられ、内側に向って突出する表側引掛爪１４３および裏側引掛爪１４４を、右側面側からＸ方向に見た状態が表示されている。また、金属筐体１００の左側面の内側には、第一の内部ユニット２００の高さ位置を決めるための左側面位置決め孔１２６と、第一の内部ユニット２００を固定するための左側面ねじ孔１２５と、が設けられている。
【００２６】
左側面位置決め孔１２６は、第一の内部ユニット２００の左側面に設けられた左端側突起に対応する位置に設けられ、当該突起が左側面位置決め孔１２６にはまりこむことで、第一の内部ユニット２００の仮保持がなされる。左側面ねじ孔１２５は、第一の内部ユニット２００の左側面に設けられた左端側ねじ孔１３４に対応する位置に設けられる。したがって、金属筐体１００の外側から、金属筐体の左側面ねじ孔１２５にねじが貫通し第一の内部ユニット２００の左端側ねじ孔１３４にねじ込まれることで、金属筐体１００と第一の内部ユニットはより強固に固定される。
【００２７】
図５は、第一の内部ユニット２００が金属筐体１００に仮保持されている状態における、金属筐体１００の天面の上面（図５（ａ））およびそのＡ−Ａ断面（図５（ｂ））を示す図である。すなわち、図５（ｂ）に示す断面図Ａ−Ａには、金属筐体１００の天面に設けられ、内側に向って突出する表側引掛爪１４３および裏側引掛爪１４４が、それぞれ、第一の内部ユニット２００の右側フランジ表面側切り欠き部１５２および右側フランジ裏面側切り欠き部１５３に引っ掛かり、仮保持している状態が表示されている。なお、後述する図６に示されているが、金属筐体１００の右側面の内側には、第一の内部ユニット２００の高さ位置を決めるための右側面位置決め孔１４６と、第一の内部ユニット２００を固定するための右側面ねじ孔１４５と、が設けられている。
【００２８】
右側面位置決め孔１４６は、第一の内部ユニット２００の右側面に設けられた右端側突起に対応する位置に設けられ、当該突起が右側面位置決め孔１４６にはまりこむことで、第一の内部ユニット２００の仮保持がなされる。右側面ねじ孔１４５は、第一の内部ユニット２００の右側面に設けられた右端側ねじ孔１５４に対応する位置に設けられる。したがって、金属筐体１００の外側から、金属筐体１００の右側面ねじ孔１４５にねじが貫通し第一の内部ユニット２００の右端側ねじ孔１５４にねじ込まれることで、金属筐体１００と第一の内部ユニットはより強固に固定される。
【００２９】
図６〜図８は、第一の内部ユニット２００が金属筐体１００に取り付けられる手順をより細かく示す図である。図６に示すように、第一の内部ユニット２００は、金属筐体１００の天面に向って落とし込まれ、金属筐体１００の天面右側にある表側引掛爪１４３および裏側引掛爪１４４と、天面左側にある表側引掛爪１２３および裏側引掛爪１２４が、第一の内部ユニット２００の右側フランジ表面側切り欠き部１５２および右側フランジ裏面側切り欠き部１５３と、第一の内部ユニット２００の左側フランジ表面側切り欠き部１３２および左側フランジ裏面側切り欠き部１３３にそれぞれ引っ掛かる方向に（図６において右上Ｙ方向に）スライド移動されて取り付けられる。その際、右側面位置決め孔１４６には、第一の内部ユニット２００の右側面に設けられた右端側突起がはまりこみ、左側面位置決め孔１２６には、第一の内部ユニット２００の左側面に設けられた左端側突起がはまりこむことで、前後位置がより強固に特定され、より安定して仮保持される。
【００３０】
図７は、このようにして第一の内部ユニット２００が金属筐体１００に仮保持されている状態を示す。この状態では、第一の内部ユニット２００と金属筐体１００は、やや弱いものの、ねじ止めをするために金属筐体１００および第一の内部ユニット２００との位置を保持するために特別な治具が不要となる程度に固定される。
【００３１】
図８は、ねじ止めを行う工程の組立状態を示す斜視図である。なお、図８では、説明を簡略化するために、第二の内部ユニット３００および底面ユニット４００を省略して記載しているが、実際には、これらのユニットも仮保持された状態でねじ止めがなされてもよい。金属筐体１００の右側面のねじ孔１４５には、右側面側ねじ群１１０Ｒが貫通し第一の内部ユニット２００の右端側ねじ孔１５４にねじ込まれる。また、金属筐体１００の左側面のねじ孔１２５には、左側面側ねじ群１１０Ｌが貫通し第一の内部ユニット２００の左端側ねじ孔１３４にねじ込まれる。そして、金属筐体１００の天面の天面左表面側ねじ孔１２１と、天面左裏面側ねじ孔１２２と、天面右表面側ねじ孔１４１と、天面右裏面側ねじ孔１４２と、には、天面側ねじ群１１０Ｔがそれぞれ貫通し、第一の内部ユニット２００の左側フランジ表面側ねじ孔１３８と、左側フランジ裏面側ねじ孔１３９と、右側フランジ表面側ねじ孔１５８と、右側フランジ裏面側ねじ孔１５９と、にそれぞれねじ込まれる。
【００３２】
以上が、本願発明にかかる第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００３３】
また、上記実施形態によれば、右側フランジ表面側切り欠き部１５２および右側フランジ裏面側切り欠き部１５３と、天面の表側引掛爪１４３および裏面側引掛爪１４４がそれぞれ咬み合うことで、金属筐体１００と第一の内部ユニット２００との左右方向の位置決めがなされる。そして、左側フランジ表面側切り欠き部１３２および左側フランジ裏面側切り欠き部１３３と、天面の表側引掛爪１２３および裏面側引掛爪１２４がそれぞれ咬み合うことで、金属筐体１００と第一の内部ユニット２００との水平回転方向の位置決めがなされる。さらに、右側面位置決め孔１４６に、第一の内部ユニット２００の右側面に設けられた右端側突起がはまりこみ、左側面位置決め孔１２６に、第一の内部ユニット２００の左側面に設けられた左端側突起がはまりこむことで、前後方向の位置決めがなされ、左右位置がより強固に位置決めされることとなる。
【００３４】
なお、右側面ねじ孔１４５と、第一の内部ユニット右端側ねじ孔１５４とがねじ締めされ、左側面ねじ孔１２５と、第一の内部ユニット左端側ねじ孔１３４とがねじ締めされることで、金属筐体１００の剛性が向上するといえる。
【００３５】
本発明は、上記の実施形態に制限されない。上記実施形態は、本発明の技術的思想の範囲内で様々な変形が可能である。例えば、上記実施形態においては、筐体１００はコの字型をしており、天面、左右側面を備えるものであるが、これに限られず、例えば左右の側面と底面を備えるものであってもよいし、左右の側面をつなぐいずれかの面を備えるものであってもよい。このようにすることで、様々な形状の骨格を備えるナビゲーション装置についても、仮保持を行ってねじ止め工程を下流工程に集約することができるようになる。
【００３６】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００３７】
１・・・ナビゲーション装置、１００・・・筐体、１１０Ｒ・・・右側ねじ群、１１０Ｌ・・・左側ねじ群、１１０Ｔ・・・天面側ねじ群、１２０・・・天面左端部、１２１・・・天面左表面側ねじ孔、１２２・・・天面左裏面側ねじ孔、１２３・・・表側引掛爪、１２４・・・裏側引掛爪、１２５・・・左側面ねじ孔、１２６・・・左側面位置決め孔、１３０・・・第一の内部ユニット左端部、１３１・・・左側フランジ部、１３２・・・左側フランジ表面側切り欠き部、１３３・・・左側フランジ裏面側切り欠き部、１３４・・・第一の内部ユニット左端側ねじ孔、１３８・・・左側フランジ表面側ねじ孔、１３９・・・左側フランジ裏面側ねじ孔、１４０・・・天面右端部、１４１・・・天面右表面側ねじ孔、１４２・・・天面右裏面側ねじ孔、１４３・・・表側引掛爪、１４４・・・裏面側引掛爪、１４５・・・右側面ねじ孔、１４６・・・右側面位置決め孔、１５０・・・第一の内部ユニット右端部、１５１・・・右側フランジ部、１５２・・・右側フランジ表面側切り欠き部、１５２Ｓ・・・突起、１５３・・・右側フランジ裏面側切り欠き部、１５４・・・第一の内部ユニット右端側ねじ孔、１５８・・・右側フランジ表面側ねじ孔、１５９・・・右側フランジ裏面側ねじ孔、２００・・・第一の内部ユニット、３００・・・第二の内部ユニット、４００・・・底面ユニット
【図１】
0005770985.tif 000002
【図２】
0005770985.tif 000003
【図３】
0005770985.tif 000004
【図４】
0005770985.tif 000005
【図５】
0005770985.tif 000006
【図６】
0005770985.tif 000007
【図７】
0005770985.tif 000008
【図８】
0005770985.tif 000009